(57)【要約】      （修正有）【課題】省電力性、クイックスタート性を維持したままでフィルム加熱方式定着装置の、高速化と長寿命化を図る。【解決手段】第一のシート状被加熱材と、第一のシート状被加熱材を加熱する第一の加熱手段と、第一のシート状被加熱材に圧接される加圧ローラとを有し、第一のシート状被加熱材と加圧ローラの圧接ニップ部に被加熱材を導入して挟持搬送することにより、被加熱材を加熱する加熱装置において、加圧ローラを外部から、第二の加熱手段により加熱する。【選択図】図２
2005050569.tif 000002
【特許請求の範囲】
【請求項１】
第一のシート状被加熱材と、第一のシート状被加熱材を加熱する第一の加熱手段と、第一のシート状被加熱材に圧接される加圧ローラとを有し、第一のシート状被加熱材と加圧ローラの圧接ニップ部に被加熱材を導入して挟持搬送することにより、被加熱材を加熱する加熱装置において、加圧ローラを外部から、第二の加熱手段により加熱することを特徴とする加熱装置。
【請求項２】
前記加熱装置において、加圧ローラが第二のシート状被加熱部材を介して第二の加熱手段により加熱されることを特徴とする請求項１に記載の加熱装置。
【請求項３】
前記加熱装置において、第一及び第二、またはいずれかのシート状被加熱部材は、エンドレスフィルムであることを特徴とする請求項１または請求項２に記載の加熱装置。
【請求項４】
前記加熱装置において、第一及び第二、またはいずれかの加熱手段は、基板に通電発熱する発熱抵抗層を有するヒーターであることを特徴とする請求項１から請求項３のいずれかに記載の加熱装置。
【請求項５】
前記加熱装置において、第二の加熱手段が加熱動作を行うのは、少なくとも加圧ローラが回転している間であることを特徴とする請求項１から請求項４のいずれかに記載の加熱装置。
【請求項６】
前記加熱装置において、第一の加熱手段の制御温度は、第二の加熱手段の制御温度以上であることを特徴とする請求項１から請求項５のいずれかに記載の加熱装置。
【請求項７】
被記録材に未定着画像を形成担持させる画像形成手段と、前記未定着画像を前記被記録材に加熱定着させるための加熱定着装置とを有する画像形成装置において、加熱定着装置が、請求項１から請求項６のいずれかに記載の加熱装置であることを特徴とする画像形成装置。
【発明の詳細な説明】
【０００１】
【発明の属する技術分野】
本発明は、加熱装置、画像形成装置に関するものである。
【０００２】
【従来の技術】
加熱装置は、画像形成装置に用いられる被記録材に、未定着画像を定着するための加熱定着装置や、被記録材を加熱して艶の如き表面性を改質するための像加熱装置、被加熱材を乾燥させたり、ラミネートしたりするための熱処理装置等として従来から広く用いられている。
【０００３】
以下、電子写真複写機やプリンタのような画像形成装置に装備される加熱定着装置を例にとって、従来技術の加熱装置を説明する。
【０００４】
画像形成装置の加熱定着装置は、被記録材に転写方式あるいは直接方式で形成担持させた目的の画像情報に対応した未定着画像（トナー画像）を、被記録材面に永久固着画像として熱定着させるものである。加熱定着装置は、熱ローラ方式やフィルム加熱方式等のように、加熱手段と加圧手段とを対向圧接させて厚接ニップ部（定着ニップ部）を形成し、その圧接ニップ部に画像定着すべき被記録材を導入し、挟持搬送させることにより未定着画像を被記録材面に熱圧定着させる接触加熱型の装置が多用されている。近年、省電力化、ウェイトタイム短縮化が求められており、特にフィルム加熱方式の加熱定着装置が採用されることが多い。以下、これらの加熱方式について説明する。
【０００５】
（Ａ）熱ローラ方式
加熱手段としての加熱ローラ（定着ローラ）と、これに圧接させた加圧手段としての弾性加圧ローラとからなる並行ローラ圧接対を基本構成とする。ローラ対を回転させ、ローラ対の圧接ニップ部に画像定着すべき被記録材を導入して挟持搬送させ、加熱ローラの熱と圧接ニップ部の加圧力によって、未定着画像を被記録材に熱圧定着するものである。
【０００６】
（Ｂ）フィルム加熱方式
フィルム加熱方式は、例えば特開昭６３−３１３１８２号公報・特開平２−１５７８７８号公報・特開平４−４４０７５号公報・特開平４−２０４９８０号公報等に提案されて、加熱手段として加熱体と耐熱性フィルム（定着フィルム）を有し、加圧手段として弾性加圧ローラを有する。弾性加圧ローラによって、耐熱性フィルムを加熱体に圧接させて圧接ニップ部を形成し、圧接ニップ部において耐熱性フィルムを加熱体に密着させて摺動搬送させ、圧接ニップ部における耐熱性フィルムと弾性加圧ローラとの間に画像定着すべき被記録材を導入してこの被記録材を耐熱性フィルムと共に搬送させる。このとき、加熱体から耐熱性フィルムを介して被記録材に付与される熱と、圧接ニップ部における加圧力にて未定着画像が、被記録材面に熱圧定着される。被記録材は圧接ニップ部を通過後に耐熱性フィルムから分離される。フィルム加熱方式の加熱装置は、加熱体として線状加熱体を用い、耐熱フィルムとして薄膜の低熱容量のものを用いることができるため、省電力化、ウェイトタイム短縮化を向上させることが可能であるという特徴がある。
【０００７】
【特許文献１】
特開昭６３−３１３１８２号公報
【特許文献２】
特開平２−１５７８７８号公報
【特許文献３】
特開平４−４４０７５号公報
【特許文献４】
特開平４−２０４９８０号公報
【０００８】
【発明が解決しようとする課題】
しかしながら、上述のようなフィルム加熱方式の加熱定着装置を高速化するためには、高速化によって被記録材が奪う熱量の増加分を、線状加熱体に入力する電力を増加して補わなければならない。これは、線状加熱体の温度を上げて、線状加熱体とフィルム表面温度との温度差を増加させることで、単位時間の間に被加熱材に与える熱量を増やせるからである。線状加熱体や、その周辺部材等の耐熱温度を考慮すると、長寿命化・高速化に限界があった。
【０００９】
本出願に係る発明の目的は、省電力性・クイックスタート性を維持したままで、長寿命であり、高速化が可能なシート状被加熱部材を用いた加熱装置、及びその加熱装置を加熱定着装置として具備する画像形成装置を提供することである。
【００１０】
【課題を解決するための手段】
上記目的を達成するため本出願に係る発明は、第一のシート状被加熱材と、第一のシート状被加熱材を加熱する第一の加熱手段と、第一のシート状被加熱材に圧接される加圧ローラとを有し、第一のシート状被加熱材と加圧ローラの圧接ニップ部に被加熱材を導入して挟持搬送することにより、被加熱材を加熱する加熱装置において、加圧ローラを外部から、第二の加熱手段により加熱することを特徴とする。
【００１１】
上記構成において、加圧ローラを外部から、第二の加熱手段により加熱する手段は、第一の加熱手段の加熱負荷（加熱熱量）を緩和、即ち第一の加熱手段の温度を低く設定できるように作用する。
【００１２】
【発明の実施の形態】
（第一の実施例）
（１）画像形成装置例
図１は画像形成装置の一例の概略構成図である。本例の画像形成装置は、転写式電子写真プロセス利用のレーザームプリンタである。
【００１３】
１は像担持体としての回転ドラム型の電子写真感光体（以下、感光ドラムと記す）であり、矢印ａの時計方向に所定の周速度（プロセススピード）にて回転駆動される。感光ドラム１は、ＯＰＣ・アモルファスＳｅ・アモルファスＳｉ等の感光材料層を、アルミニウムやニッケルなどのシリンダ（ドラム）状の導電性基体の外周面に形成した構成から成る。
【００１４】
感光ドラム１はその回転過程で帯電手段としての帯電ローラ２により所定の極性・電位に一様に帯電処理される。その回転感光ドラム１の一様帯電面に対してレーザービームスキャナ３から出力される、目的の画像情報の時系列電気デジタル画素信号に対応して変調制御（ＯＮ／ＯＦＦ制御）されたレーザービームによる走査露光Ｌがなされることにより、回転感光ドラム面に目的の画像情報の静電潜像が形成される。
【００１５】
その形成潜像が現像装置４でトナーＴにより現像されて可視化される。現像方法としては、ジャンピング現像法、２成分現像法、ＦＥＥＤ現像法などが用いられ、イメージ露光と反転現像との組み合わせで用いられることが多い。
【００１６】
一方、給紙ローラ８の駆動により給紙カセット９内に収容の被記録材としての転写材Ｐが一枚宛繰り出されて、ガイド１０・レジストローラ１１を有するシートパスを通って感光ドラム１と転写ローラ５の圧接部である転写ニップ部に所定の制御タイミングにて給送され、その給送転写材Ｐの面に感光ドラム１面側のトナー画像が順次に転写されていく。
【００１７】
転写ニップ部を出た転写材は回転感光ドラム１の面から順次に分離されて、搬送装置１２で加熱装置としての加熱定着装置６に導入されてトナー画像の熱定着処理を受ける。加熱定着装置６については次の（２）項で詳述する。
加熱定着装置６を出た転写材は搬送ローラ１３・ガイド１４・排紙ローラ１５を有するシートパスを通って、排紙トレイ１６にプリントアウトされる。
【００１８】
また、転写材分離後の回転感光ドラム面はクリーニング装置７により転写残りトナー等の付着汚染物の除去処理を受けて清浄面化され、繰り返して作像に供される。
【００１９】
（２）加熱定着装置６
図２は本例で用いた加熱装置としての加熱定着装置６の概略構成模型図である。
【００２０】
２１は横断面略半円弧状・樋型で、紙面に垂直方向を長手とする横長のフィルムガイド部材（スティ）、２２はこのフィルムガイド部材２１の下面の略中央部に長手に沿って形成した溝内に収容保持させた横長の加熱体、２３はこの加熱体付きのフィルムガイド部材２１にルーズに外嵌させたエンドレスベルト状（円筒状）の耐熱性フィルムである。これら２１〜２３は加熱手段側部材である。
【００２１】
２４はフィルム２３を挟ませて加熱体２２の下面に圧接させた加圧手段としての弾性加圧ローラである。Ｎはフィルム２３を挟ませて加熱体２２に圧接させた加圧ローラ２４の弾性層２４ｂの弾性変形によって加熱体２２との間に形成された圧接ニップ部（定着ニップ部）である。加圧ローラ２４は駆動源Ｍの駆動力が不図示のギア等の動力伝達機構を介して伝達されて所定の周速度で矢印ｂの反時計方向に回転駆動される。
【００２２】
フィルムガイド部材２１は、例えば、ＰＰＳ（ポリフェニレンサルファイト）や液晶ポリマー等の耐熱性樹脂の成形品である。
【００２３】
加熱体２２は、本例は、アルミナ等の横長・薄板状のヒータ基板２２ａ、その表面側（フィルム摺動面側）に長手に沿って形成具備させた線状あるいは細帯状のＡｇ／Ｐｂなどの通電発熱体（抵抗発熱体）２２ｂ、ガラス層等の薄い表面保護層２２ｃ、ヒータ基板２２ａの裏面側に配設したサーミスタ等の検温素子２２ｄ等からなる全体に低熱容量のセラミックヒータである。このセラミックヒータ２２は通電発熱体２２ｂに対する電力供給により迅速に昇温し、検温素子２２ｄを含む電力制御系により所定の目標温度に温調される。
【００２４】
耐熱性フィルム２３は、熱容量を小さくして装置のクイックスタート性を向上させるために、膜厚を総厚１００μｍ以下、好ましくは６０μｍ以下２０μｍ以上とした、耐熱性・離型性・強度・耐久性等のあるＰＴＦＥ（ポリテトラフルオロエチレン）・ＰＦＡ（テトラフルオロエチレン−パーフルオロアルキルビニルエーテル）・ＰＰＳ等の単層フィルム、あるいはポリイミド・ポリアミドイミド・ＰＥＥＫ（ポリエーテルエーテルケトン）・ＰＥＳ（ポリエーテルスルホン）等のベースフィルムの表面にＰＴＦＥ・ＰＦＡ・ＦＥＰ（テトラフルオロエチレン−パーフルオロアルキルビニルエーテル）等を離型層としてコーティングした複合層フィルム等である。ただし、フルカラー加熱定着装置用として、クイックスタート性は多少犠牲になるが、ベースフィルムと離型層の間にシリコーンゴム等の耐熱弾性層を設けても良い。弾性層があることで、転写シート状のトナーをフィルム２３の表面が包み込むように溶かすことができるので、好適な画像光沢が得られ、高画質が得られる。
【００２５】
耐熱性フィルム２７は耐熱性フィルム２３と、加熱体２６は加熱体２２と同様の構成で差し支えない。
【００２６】
加圧ローラ２４は、鉄やアルミニウム等の芯金２４ａと、内部が中空の充填材２４ｃを充填した弾性層２４ｂと、離型層２４ｄとからなる。
【００２７】
耐熱性フィルム２７は、耐熱性フィルム２３と同様の物であり、加圧ローラ２４を外部から加熱するものである。
【００２８】
フィルム２３は、少なくとも画像形成実行時に加圧ローラ２４が回転駆動されることで、該加圧ローラ２４の回転駆動により圧接ニップ部Ｎにおいて加圧ローラ２４とフィルム２３の外面との摩擦力でフィルム２３に回転力が作用して、フィルム内面が圧接ニップ部Ｎにおいて加熱体２２の表面である下面に密着して摺動しつつフィルムガイド部材２１の外回りを矢印ａの時計方向に所定の周速度、即ち画像転写部側から搬送されてくる未定着トナー画像Τを担持した転写材ｐの搬送速度と略同一の周速度でシワなく回転駆動される。この場合、フィルム２３の内面とこれが摺動する加熱体下面との摺動抵抗を低減するために両者間に耐熱性グリス等の潤滑剤を介在させるとよい。
【００２９】
同様に、フィルム２７は、少なくとも画像形成実行時に加圧ローラ２４が回転駆動されることで、加圧ローラ２４の回転駆動により圧接ニップ部Ｏにおいて加圧ローラ２４とフィルム２７の外面との摩擦力でフィルム２７に回転力が作用して、フィルム内面が圧接ニップ部Ｏにおいて加熱体２６の表面である下面に密着して摺動しつつフィルムガイド部材２５の外回りを矢印Ｃの方向に所定の周速度、即ち転写材ｐの搬送速度と略同一の周速度でシワなく回転駆動される。フィルム２３と同様に内面に耐熱性グリス等の潤滑材を介在させると良い。
【００３０】
而して、加圧ローラ２４の回転駆動によりフィルム２３、２７が回転され、また加熱体２２が所定の定着温度に立ち上がって温調された状態において、圧接ニップ部Ｎの加圧ローラ２４とフィルム２３との間に未定着トナー画像Τを有する被加熱材としての転写材Ｐがそのトナー画像担持面側をフィルム２３側にして導入されて圧接ニップ部Ｎにおいてフィルム外面に密着し、フィルム２３と一緒に圧接ニップ部Ｎを挟持搬送されていくことにより、加熱体２２の熱がフィルム２３を介して付与されまた圧接ニップ部Ｎの加圧力を受けて未定着トナー画像Τが転写材Ｐの面に熱圧定着される。圧接ニップ部Ｎを通った転写材Ｐはフィルム２３の外面から分離されて搬送される。
【００３１】
回転するフィルム２３には圧接ニップ部Ｎ、フィルム２７には圧接ニップ部Ｏ以外には実質的にテンションが作用しないので、回転状態にあるフィルム２３、２７のフィルムガイド部材２１、２５の長手に沿う寄り移動力が小さい。そのためフィルム寄り移動規制手段としてはフィルム２３、２７の端部を単純に受け止めるだけのフランジ部材の配設で足り、装置を簡略化できる利点がある。
【００３２】
本例のようなフィルム加熱方式の装置６は、熱容量が小さく昇温の速い加熱体２２、２６を用いることができ、加熱体６が所定の温度に達するまでの時間を大きく短縮できる。常温からでも容易に高温に立ち上げることができるため、非プリント時に装置が待機状態にあるときのスタンバイ温調をする必要がなく省電力化できる。
【００３３】
次に、本実施例における加熱定着装置が起動してから、その直後に定着動作を行った時の、加熱体２２の温度、フィルム２３の表面温度、加圧ローラ２４の表面温度、加熱体２６の温度、フィルム２７の表面温度を、図３に示す。
【００３４】
起動と同時に、加圧ローラ２４は回転を始め、加熱体２２に約１０００Ｗの電力で通電も開始する。加熱体２２は目標温度２１０℃で一定に制御される。フィルム２３の表面温度が、定着に適する温度（本例では２００℃）になるのを見計らって（約１０秒）、装置起動終了とする。起動中には、加熱体２６には通電しないが、加圧ローラ２４の回転によって、加圧ローラ２４に圧接しているフィルム２７の表面温度は上昇し、起動終了時には１００℃になる。よって、加熱体２６の温度も上昇し、起動終了時には８０℃になっている。起動終了までに要する時間は、後に説明する従来例よりも約２秒だけ長くなるが、充分クイックスタート性は維持できると言える。また、起動時に加熱体２６にも通電すれば、同等の時間で起動可能であるので、適宜都合によって通電しても良い。
【００３５】
起動後、直ぐに定着動作を行うが、本実施例では、加圧ローラ２４の周速度は２００ｍｍ／ｓｅｃでＡ４サイズの転写シートなら１分間に４０枚定着できる速さである。定着動作中は、加熱体２２は２３０℃の目標温度で一定になる様に制御され、加熱体２６は、それよりも低い２００℃の目標温度で一定になる様に制御される。加熱体２６の目標温度の方が低いのは、定着動作中に転写シートとトナー画像に奪われる熱量が、加圧ローラ２４よりもフィルム２３の方が多い（フィルム２３はトナー画像に直接接触するから）のでフィルム２７が加圧ローラ２４に与える熱量は比較的少なくて済からである。加熱体２２、２６が定着動作中にそれぞれ２３０℃、２００℃で制御されると、結果的に、フィルム２３，２７の表面温度は、それぞれ２００℃、１８０℃になる。加熱体２２、２６の目標温度は、一例であり、環境温度、転写シートの種類等に応じて、適宜設定可能である。
【００３６】
定着動作が終了すれば、加圧ローラ２４の回転を停止し、加熱体２２、２６への通電をオフする。フィルム加熱方式は、起動に要する時間が極めて短いので、待機中に電力を完全にオフしても、利便性（ユーザーを起動時待たせない）が損なうことなく、省電力化が可能である。
【００３７】
次に、従来例の加熱定着装置の一例として、加圧ローラをその外部から加熱しない加熱定着装置を、図５に示す。さらに、加熱定着装置起動時とその直後に定着動作を行った時の、フィルム４３の表面温度、加圧ローラ４４の表面温度、加熱体４２の温度を図４に示す。
【００３８】
起動と同時に、加圧ローラ５４は回転を始め、加熱体５２に約１０００Ｗの電力で通電も開始する。加熱体５２は目標温度２１０℃で一定に制御される。フィルム５３の表面温度が、定着に適する温度である２００℃になるのを見計らって（約８秒）、装置起動終了とする。
【００３９】
起動後、直ぐに定着動作を行うが、前記本実施例と同様に、加圧ローラ５４の周速度は２００ｍｍ／ｓｅｃでＡ４サイズの転写シートなら１分間に４０枚定着できる速さである。定着動作中は、加熱体５２は前記本実施例として説明した加熱体２２の２３０℃よりも３０℃高温の２６０℃で一定になる様に制御される。フィルム５３の表面温度は、定着に好適な２００℃になるが、図５に示したように加圧ローラ５４は、積極的に加熱されることは無く、転写シートとそれに続く転写シートの間でフィルム５３と接触した時しか熱を与えられないので、定着動作中は８０℃まで温度が下がってしまう。前記実施例では、定着動作中の加圧ローラ２４の表面温度は１３０℃であったのに対し、従来例では８０℃であり、５０℃もの温度差がある。従来例では、定着性能が劣るばかりでなく、転写シートの表側は２００℃であるフィルム５３から加熱され、裏側は８０℃しかない加圧ローラ５４と接触するので、定着後の転写シートのカール量が大きくなってしまうといった欠点もある。（一般的に、転写シートのカール量は、転写シートの表と裏側で温度差が大きいと、カール量は大きくなる性質がある。）さらに、前記実施例では、加熱体２２の定着動作中の温度は２３０℃であったのに対し、従来例では２６０℃であり、３０℃も高くなってしまっている。加熱体の温度が高くなると、フィルムの内面を加熱体が摺擦されているので、フィルム内面が削れてフィルム割れが発生しやすくなってしまうという問題がある。前記本実施例の場合には、Ａ４サイズの転写シートなら１５万枚定着してもフィルム割れは発生しなかったが、従来例の場合、加熱体の温度が高くなってしまうので、５万枚を超えたあたりでフィルム割れが発生してしまう。
【００４０】
このように、本実施例では、加圧ローラを外部からフィルムを介して、第二の加熱体により加熱するので、第一の加熱体の加熱負荷（加熱熱量）を緩和、即ち第一の加熱体温度を低く設定できる。その結果、省電力性・クイックスタート性を維持したままで、長寿命であり、高速化が可能な加熱定着装置を提供することが可能になる。
【００４１】
本発明は、加熱手段と加圧手段との圧接ニップ部に被加熱材を導入して挟持搬送させて加熱処理する加熱装置に有効であり、加熱装置は実施例の加熱定着装置としてばかりでなく、その他、例えば、画像を端持した被記録材を加熱して表面性（つや等）を改質する装置、仮定着する装置、シート状物を給紙して乾燥処理・ラミネート処理する装置等の加熱装置として広く使用できることは勿論である。
【００４２】
（第二の実施例）
図６の（ａ）〜（ｄ）に示したのは、それぞれフィルム加熱方式の加熱装置（加熱定着装置）の他の構成形態であり、前記第一の実施例で示した物と同様の作用効果が得られる。
【００４３】
以下、（ａ）〜（ｄ）の構成形態について説明しておく。
【００４４】
（ａ）のものは、加熱体ホルダ兼フィルムガイド部材７５に保持させた加熱体２２と、フィルム駆動ローラ７６と、テンションローラ７７との互いに略並行の３部材間にエンドレスベルト状の耐熱性フィルム２３を懸回張設し、フィルム２３を挟んで加熱体２２と加圧ローラ２４とを圧接させて圧接ニップ部Ｎを形成させ、フィルム２３を駆動ローラ７６により回転駆動させるものである。加圧ローラ２４はフィルム２３の回転に従動回転する。７７はフィルム駆動ローラ７６の駆動源である。圧接ニップ部Ｎに被加熱材としての転写材Ｐを導入してトナー画像の加熱定着を行なわせる。
【００４５】
（ｂ）のものは、加熱体ホルダ兼フィルムガイド部材７５に保持させた加熱体２２と、フィルム駆動ローラ７６との互いに略並行の２部材間に、エンドレスベルト状の耐熱性フィルム２３を懸回張設し、フィルム２３を挟んで加熱体２２と加圧ローラ２４とを圧接させて圧接ニップ部Ｎを形成させ、フィルム２３を駆動ローラ２６により回転駆動させるものである。加圧ローラ２４はフィルム２３の回転に従動回転する。
【００４６】
（ｃ）のものは、耐熱性フィルム２３としてロール巻きにした長尺の有端フィルムを用い、これを繰り出し軸７８から、加熱体ホルダ兼フィルムガイド部材７５に保持させた加熱体２２の下面を経由させ、巻き取り軸７９へ掛け渡し、フィルム２３を挟んで加熱体２２と加圧ローラ２４とを圧接させて圧接ニップ部Ｎを形成させ、フィルム２３を巻き取り軸７９で巻き上げて所定の速度で走行移動させるものである。上記のような構成形態の装置においても、加圧手段としての加圧ローラ２４を本発明に従う構成のものにして前述と同様の作用効果が得られる。
【００４７】
加熱手段側の加熱体２２は前述のセラミックヒータに限られるものではなく、電磁（磁気）誘導加熱方式など他の適宜の発熱体を採択できる。（ｄ）は電磁誘導加熱方式の例である。８０は電磁誘導発熱する磁性金属部材、８１は磁界発生手段としての励磁コイルである。励磁コイル８１に通電することにより発生する高周波磁界により磁性金属部材８０がヒータとして電磁誘導発熱し、その熱が圧接ニップ部Ｎにおいてフィルム２３を介して、圧接ニップ部Ｎに導入された被加熱材としての転写材Ｐに付与される。フィルム２３自体を電磁誘導発熱性の部材とすることもできる。
【００４８】
【発明の効果】
以上説明したように、本出願に係る発明によれば、省電力性・クイックスタート性を維持したままで、長寿命であり、高速化が可能な加熱装置、及びその加熱装置を加熱定着装置として具備する画像形成装置を提供することができる。
【図面の簡単な説明】
【図１】本発明に画像形成装置の一例を示す概略構成図。
【図２】図１の加熱定着装置の概略構成図。
【図３】図１の各部の温度を表す図。
【図４】従来例の各部の温度を表す図。
【図５】従来例の加熱定着装置の概略構成図。
【図６】（ａ）〜（ｄ）は、それぞれフィルム加熱方式の加熱定着装置の構成例を示す概略図。
【図１】
2005050569.tif 000003
【図２】
2005050569.tif 000004
【図３】
2005050569.tif 000005
【図４】
2005050569.tif 000006
【図５】
2005050569.tif 000007
【図６】
2005050569.tif 000008